(57)【要約】【課題】均一に光を供給することができるバックライトアセンブリを備える表示装置を提供する。【解決手段】表示装置は、入光面及び出光面を有し、離隔して配置される少なくとも二つの導光板と、各導光板の少なくとも一つの側部に隣接して配置され、光を発生して入光面側に光を供給する光源と、出光面を通じて出射される光が供給されて映像が表示される表示パネルと、隣接する二つの導光板の間から露出する光源の上部をカバーし、光源から発生して隣接する二つの導光板の間を通って表示パネル側に進行する光を拡散させる拡散部材と、を含む。【選択図】図１
2011203735.tif 000002
【特許請求の範囲】
【請求項１】
入光面及び出光面を有し、離隔して配置される少なくとも二つの導光板と、
各導光板の少なくとも一つの側部に隣接して配置され、光を発生して前記入光面側に供給する光源と、
前記出光面を通じて出射される光が供給されて映像が表示される表示パネルと、
前記導光板の間から露出する前記光源の上部をカバーし、前記光源から発生して前記導光板の間を通って前記表示パネル側に進行する光を拡散させる拡散部材と、を含むことを特徴とする表示装置。
【請求項２】
前記導光板と前記表示パネルとの間に備えられ、前記出光面を通じて出射する光及び前記拡散部材を透過した光を拡散させる拡散板を更に含むことを特徴とする請求項１に記載の表示装置。
【請求項３】
前記拡散板は、前記導光板と離隔していることを特徴とする請求項２に記載の表示装置。
【請求項４】
前記拡散部材は、前記拡散板の背面と前記光源の上部面とを支える支持部を含むことを特徴とする請求項３に記載の表示装置。
【請求項５】
前記拡散部材は、隣接する二つの導光板の間に沿って延びる形態を有することを特徴とする請求項１に記載の表示装置。
【請求項６】
前記導光板は、第１導光板と、前記第１導光板と離隔される第２導光板とを含み、
前記光源は、前記第１導光板と前記第２導光板との間に配置され、前記第１導光板側に光を供給する多数の第１補助光源と、前記第１補助光源と交互に配列され、前記第２導光板側に光を供給する多数の第２補助光源と、を有する第１光源部を含むことを特徴とする請求項５に記載の表示装置。
【請求項７】
前記第１導光板を介して前記第１光源部と対向するように配置され、前記第１導光板側に光を供給し、前記多数の第１及び第２補助光源と平行に配列される多数の第３補助光源を有する第２光源部と、
前記第２導光板を介して前記第１光源部と対向するように配置され、前記第２導光板側に光を供給し、前記多数の第１及び第２補助光源と平行に配列される多数の第４補助光源を有する第３光源部と、
前記第２光源部をカバーする第１補助拡散部材と、
前記第３光源部をカバーする第２補助拡散部材と、を更に含むことを特徴とする請求項６に記載の表示装置。
【請求項８】
前記拡散部材は、前記光源をカバーする表面上に配置されて、光を反射する光反射部と光を透過する光透過部とを有する光学パターンを含み、
前記光反射部は、前記拡散部材上に備えられる反射層を含み、
前記光透過部は、前記光反射部が部分的に一部除去されて形成されることを特徴とする請求項５に記載の表示装置。
【請求項９】
前記拡散部材は、光を拡散する拡散ビーズを含むことを特徴とする請求項５に記載の表示装置。
【請求項１０】
前記拡散部材の両端部を前記第１導光板及び前記第２導光板と固定する結合部材を更に含むことを特徴とする請求項５に記載の表示装置。
【発明の詳細な説明】
【技術分野】
【０００１】
本発明は、均一に光を提供することができるバックライトアセンブリを有する表示装置に関する。
【背景技術】
【０００２】
一般に、ノートパソコン又はモバイル用の表示装置はエッジ型バックライトアセンブリを備え、エッジ型バックライトアセンブリは光源とその光源から発生する光を表示パネル側に導く導光板を備える。また、エッジ型バックライトアセンブにおいて、光源は導光板のエッジに隣接して配置されて導光板側に光を供給し、導光板側に供給された光は導光板の導光パターンによって表示パネル側に導かれる。
【先行技術文献】
【特許文献】
【０００３】
【特許文献１】米国特許公開第２００８−０１０１０６８号明細書
【発明の概要】
【発明が解決しようとする課題】
【０００４】
本発明は、上記従来技術に鑑みてなされたものであって、本発明の目的は、全ての受光領域に亘ってより均一な光を供給するバックライトアセンブリを備えて表示品質を向上させることができる表示装置を提供することにある。
【課題を解決するための手段】
【０００５】
上記目的を達成するためになされた本発明による表示装置は、少なくとも二つの導光板、光源、表示パネル、及び拡散部材を含む。前記少なくとも二つの導光板は互いに離間して配置され、前記各導光板は入光面及び出光面を有する。前記光源は各導光板の少なくとも一つの側部に隣接して配置され、光を発生して前記入光面側に供給する。また、前記表示パネルには前記出光面を通じて出射される光が供給されて映像が表示される。前記拡散部材は前記隣接する二つの導光板の間から露出する前記光源をカバーし、前記拡散部材は前記光源から発生して前記隣接する二つの導光板の間を通って前記表示パネル側に進行する光を拡散させる。
【０００６】
前記導光板と前記表示パネルとの間に備えられ、前記出光面を通じて出射する光及び前記拡散部材を透過した光を拡散させる拡散板を更に含んでもよく、前記拡散板は、前記導光板と離隔していることが好ましい。
前記拡散部材は、前記拡散板の背面と前記光源の上部面とを支える支持部を含んでもよい。
前記拡散部材は、隣接する二つの導光板の間に沿って延びる形態を有することが好ましい。
前記導光板は、第１導光板と、前記第１導光板と離隔される第２導光板とを含み、前記光源は、前記第１導光板と前記第２導光板との間に配置され、前記第１導光板側に光を供給する多数の第１補助光源と、前記第１補助光源と交互に配列され、前記第２導光板側に光を供給する多数の第２補助光源と、を有する第１光源部を含むようにしてもよい。
前記第１導光板を介して前記第１光源部と対向するように配置され、前記第１導光板側に光を供給し、前記多数の第１及び第２補助光源と平行に配列される多数の第３補助光源を有する第２光源部と、前記第２導光板を介して前記第１光源部と対向するように配置され、前記第２導光板側に光を供給し、前記多数の第１及び第２補助光源と平行に配列される多数の第４補助光源を有する第３光源部と、前記第２光源部をカバーする第１補助拡散部材と、前記第３光源部をカバーする第２補助拡散部材と、を更に含むことが好ましい。
前記拡散部材は、前記光源をカバーする表面上に配置されて、光を反射する光反射部と光を透過する光透過部とを有する光学パターンを含み、前記光反射部は、前記拡散部材上に備えられる反射層を含み、前記光透過部は、前記光反射部が部分的に一部除去されて形成されるようにしてもよい。
前記拡散部材は、光を拡散する拡散ビーズを含んでもよく、前記拡散部材の両端部を前記第１導光板及び前記第２導光板と固定する結合部材を更に含んでもよい。
【発明の効果】
【０００７】
本発明の表示装置は互いに離間している二つの導光板の間に位置する光源をカバーする拡散部材を含む。従って、光源から発生する光が導光板によって導かれずに互いに離間している二つの導光板の間を通ってそのまま出射する漏れ光を拡散部材により拡散できるので表示装置の表示品質の低下を防止することができる。
【図面の簡単な説明】
【０００８】
【図１】本発明の一実施形態による表示装置の分解斜視図である。
【図２】図１に示す第１〜第３光源部、導光部、及び拡散板の組み立て状態を示す分解斜視図である。
【図３】図２に示す第１光源部の斜視図である。
【図４】図２のＩ−Ｉ′線に沿って切断した断面図である。
【図５】（ａ）は図４に示す拡散部材の部分平面図であり、（ｂ）は（ａ）に示すＩＩ−ＩＩ′線に沿って切断した断面図である。
【図６】本発明の第２実施形態による拡散部材の断面図である。
【図７】本発明の第３実施形態による光源部及び拡散板の断面図である。
【図８】本発明の第４実施形態による光源部及び導光部の組み立て状態を示す斜視図である。
【図９】本発明の第５実施形態による光源部及び拡散板の断面図である。
【図１０】本発明の第６実施形態による導光部、光源部、及び拡散部材などの組み立て状態を示す平面図である。
【図１１】本発明の第７実施形態による光源部及び拡散板の断面図である。
【発明を実施するための形態】
【０００９】
以下、本発明の表示装置を実施するための形態の具体例を、図面を参照しながら詳細に説明する。本発明の目的、特徴及び効果は、図面及び実施形態を通じて容易に理解することができる。但し、本発明は実施形態によって限定されず、様々な形態に応用及び変形することができる。むしろ、本発明の実施形態は、本発明の技術思想をより明確にし、かつ、本発明が属する分野から普通の知識を有する当業者に本発明の技術思想を十分に伝えるためのものである。従って、本発明の範囲は実施形態によって限定されるものと解すべきではない。一方、本発明の実施形態と共に提示する図面は明確な説明のために一部を省略又は誇張しており、また図面上の同じ参照符号は同じ構成要素を示す。
【００１０】
図１は、本発明の一実施形態による表示装置の分解斜視図である。
【００１１】
図１を参照すると、表示装置５００は、バックライトアセンブリ２００、表示パネル４００、下部シャーシ３１０、及び上部シャーシ３８０を含む。
【００１２】
バックライトアセンブリ２００は、第１光源部２０、第２光源部２６、第３光源部２９、第１導光板１１と第２導光板１６からなる導光部１０、拡散部材３０、反射板１１０、拡散板１２０、及び光学シート１３０を含む。
【００１３】
第１〜第３光源部２０、２６、２９は表示パネル４００が映像を表示するときに利用される光を発生する。また、第１及び第２導光板１１、１６からなる導光部１０は第１〜第３光源部２０、２６、２９から発生した光を表示パネル４００側に導く。
【００１４】
第１光源部２０は第１導光板１１と第２導光板１６との間に備えられて第１光源部２０から発生した光を第１導光板１１及び第２導光板１６側に供給する。また、第２光源部２６は第１導光板１１を介して第１光源部２０と対向するように配置されて第２光源部２６から発生した光を第１導光板１１側に供給する。第３光源部２９は第２導光板１６を介して第１光源部２０と対向するように配置されて第３光源部２９から発生した光を第２導光板１６側に供給する。
【００１５】
一方、本発明の一実施形態によると、第１光源部２０、第２光源部２６、及び第３光源部２９はそれぞれ単独で駆動でき、第１導光板１１及び第２導光板１６側にそれぞれ異なる光量を供給することができる。従って、表示パネル４００が有する表示領域の位置によって第１導光板１１及び第２導光板１６を通じてその表示パネル４００側に供給される光量を調節することができるので、表示装置５００は、いわゆる、ローカルディミング（Ｌｏｃａｌ  Ｄｉｍｍｉｎｇ）方式で駆動できる。
【００１６】
拡散部材３０は第１導光板１１と第２導光板１６との間に位置する第１光源部２０をカバーして第１導光板１１と第２導光板１６との間を通って表示パネル４００側に進行する光を拡散させる。図１には拡散部材３０が第１光源部２０だけをカバーする構造を図示しているが、それに限らない。即ち、拡散部材３０は第１〜第３光源部２０、２６、２９をそれぞれカバーするように構成しても良い。
【００１７】
便宜上、第１光源部２０から発生して第１導光板１１と第２導光板１６との間を通って表示パネル４００側に進行する光を漏れ光として定義すると、漏れ光は導光部１０によって表示パネル４００の表示領域に導かれる光ではないので、その漏れ光によって表示パネル４００に表示される映像の輝度は表示領域の位置により不均一になるおそれがある。しかし、本実施形態によると、拡散部材３０は第１導光板１１と第２導光板１６との間に位置する第１光源部２０をカバーして漏れ光を拡散させる。その結果、漏れ光によって表示パネル４００に表示される映像の輝度が表示領域の位置により不均一になることを防止できる。
【００１８】
反射板１１０はポリエチレンテレフタレート（ｐｏｌｙｅｔｈｙｌｅｎｅ  ｔｅｒｅｐｈｔｈａｌａｔｅ：ＰＥＴ）又はアルミニウムのような光を反射する物質を含む。反射板１１０は、下部シャーシ３１０の底部上に備えられ、第１〜第３光源部２０、２６、２９から発生した光を反射する。その結果、反射板１１０は表示パネル４００側に供給される光量を増加させる。
【００１９】
拡散板１２０は導光部１０と表示パネル４００との間に配置される。拡散板１２０は導光部１０から出射された光と拡散部材３０によって拡散された光を拡散する。その結果、拡散板１２０によって表示パネル４００の単位面積当たりに供給される光量は更に均一になる。
【００２０】
一方、本実施形態によると、拡散板１２０は導光部１０から突出する多数の支持部材４０上に配置されるので拡散板１２０は導光部１０と離隔される。
【００２１】
光学シート１３０は表示パネル４００と拡散板１２０との間に配置される。光学シート１３０は拡散板１２０から出射する光を集光して正面輝度を向上させるプリズムシート及び拡散板１２０から出射する光を拡散させる拡散シートなどからなる。
【００２２】
本発明の一実施形態によると、表示パネル４００は液晶表示パネルからなり、その表示パネル４００にはバックライトアセンブリ２００から発生する光が供給されて映像が表示される。表示パネル４００は、第１基板４１０、第１基板４１０と向い合う第２基板４２０、及び第１基板４１０と第２基板４２０との間に介在する液晶（図示せず）を含む。
【００２３】
本実施形態によると、第１基板４１０は多数の画素電極（図示せず）及びその画素電極と一対一に対応して電気的に接続する多数の薄膜トランジスタを含む。各薄膜トランジスタは各画素電極側に印加される駆動信号をスイッチングする。また、第２基板４２０は画素電極と一対一に対応して位置するカラーフィルタ層及び画素電極と共に液晶の配列を制御する電界を形成する対向電極を含む。
【００２４】
下部シャーシ３１０は、底部とその底部から延長される側壁を具備し、バックライトアセンブリ２００と表示パネル４００を装着する装着空間を提供する。また、上部シャーシ３８０は、下部シャーシ３１０と締結されて、バックライトアセンブリ２００及び表示パネル４００を下部シャーシ３１０内に装着する。
【００２５】
図２は、図１に示す第１〜第３光源部、導光部、及び拡散板の組み立て状態を示す分解斜視図であり、図３は、図２に示す第１光源部の斜視図であり、そして、図４は、図２のＩ−Ｉ′線に沿って切断した断面図である。
【００２６】
図２〜図４を参照すると、導光部１０は互いに離間して第１方向Ｄ１に配列される第１導光板１１及び第２導光板１６を含み、第１導光板１１及び第２導光板１６上には拡散板１２０が配置される。また、第１及び第２導光板１１、１６の少なくとも一つの側部に隣接して第１〜第３光源部２０、２６、２９の中の少なくとも何れか一つが配置される。
【００２７】
具体的に、第１導光板１１はプレート形態からなり、その第１導光板１１は一側部に第１入光面１２Ａを有し、他側部に第１入光面１２Ａと対応する第２入光面１２Ｂを有する。また、第１導光板１１は第１及び第２入光面１２Ａ、１２Ｂと連結される第１出光面１３を有する。
【００２８】
また、第２導光板１６はプレート形態からなり、その第２導光板１６は一側部に第３入光面１７Ａを有し、他側部に第３入光面１７Ａと対応する第４入光面１７Ｂを有する。また、第２導光板１６は第３入光面１７Ａ及び第４入光面１７Ｂと連結される第２出光面１８を有する。
【００２９】
一方、第１導光板１１と第２導光板１６との間には第１光源部２０が具備される。第１光源部２０は第１印刷回路基板２３、第１補助光源２１、及び第２補助光源２２を含む。第１印刷回路基板２３は第１導光板１１と第２導光板１６との間の空間に沿って第１方向Ｄ１と直角な第３方向Ｄ３に延びる形態を有し、第１印刷回路基板２３の両端部は第１導光板１１及び第２導光板１６の下部に固定される。
【００３０】
第１補助光源２１及び第２補助光源２２は第１印刷回路基板２３と電気的に接続される。また、第１補助光源２１及び第２補助光源２２は第１印刷回路基板２３上で第３方向Ｄ３に交互に配列される。
【００３１】
一方、第１補助光源２１から発生する光の進行方向と第２補助光源２２から発生する光の進行方向は互いに反対方向になっている。より詳しくは、第１補助光源２１から発生する光は平面上で概ね第１方向Ｄ１に進行する。その結果、第１補助光源２１から発生する光は第１入光面１２Ａを通じて第１導光板１１側に供給される。また、第２補助光源２２から発生する光は平面上で概ね第１方向Ｄ１と反対方向である第２方向Ｄ２に進行して、第３入光面１７Ａを通じて第２導光板１６側に供給される。
【００３２】
第２光源部２６は第２入光面１２Ｂと隣接して配置され、第１導光板１１側に光を供給する。第２光源部２６は第２印刷回路基板２４及び第３補助光源２５を含む。第２印刷回路基板２４は第２入光面１２Ｂに沿って第３方向Ｄ３に延びている形態からなり、第２印刷回路基板２４の一側端部は第１導光板１１の下部に固定される。
【００３３】
第３補助光源２５は第２印刷回路基板２４と電気的に接続され、その第３補助光源２５は第２印刷回路基板２４上で第３方向Ｄ３に配列される。第３補助光源２５から発生する光は第２方向Ｄ２に進行して、第２入光面１２Ｂを通じて第１導光板１１側に供給される。
【００３４】
また、第３光源部２９は第４入光面１７Ｂと隣接して配置され、第２導光板１６側に光を供給する。第３光源部２９は第３印刷回路基板２７及び第４補助光源２８を含む。第３印刷回路基板２７は第４入光面１７Ｂに沿って第３方向Ｄ３に延びている形態を有し、第３印刷回路基板２７の一側端部は第２導光板１６の下部に固定される。第４補助光源２８は第３印刷回路基板２７と電気的に接続され、その第４補助光源２８は第３印刷回路基板２７上で第３方向Ｄ３に配列される。第４補助光源２８から発生する光は第１方向Ｄ１に進行して、第４入光面１７Ｂを通じて第２導光板１６側に供給される。
【００３５】
上述したように、導光部１０は第１〜第３光源部２０、２６、２９から発生した光を受け、導光部１０側に供給される光は導光部１０の背面に形成される導光パターン（図示せず）によって反射された後に第１出光面１３及び第２出光面１８を通じて拡散板１２０側に出射される。
【００３６】
拡散部材３０はポリメチルメタクリレート（ｐｏｌｙｍｅｔｈｙｌ  ｍｅｔｈａｃｒｙｌａｔｅ：ＰＭＭＡ）又はポリカーボネート（ｐｏｌｙｃａｒｂｏｎａｔｅ：ＰＣ）のような材質からなり、第３方向Ｄ３に延びている形態を有し、第１導光板１１と第２導光板１６との間で第１光源部２０をカバーする。また、拡散部材３０は平面上で第１導光板１１の側部と第２導光板１６の側部と一部が重なるように第１導光板１１及び第２導光板１６上に配置される。拡散部材３０は第１光源部２０から発生して第１導光板１１と第２導光板１６との間を通って拡散板１２０側に進行する光を拡散させる。
【００３７】
上述したように、第１導光板１１側に光を供給するために第１補助光源２１の各発光面ＥＳは第１入光面１２Ａに向かう。第１導光板１１は温度及び湿度のような外部の環境条件によって膨張することがあるので空気層ＡＬを介して第１補助光源２１と離間されている。その結果、発光面ＥＳを通じて出射する光の一部は第１入光面１２Ａ側に進行せず、第１導光板１１と第２導光板１６との間を通って拡散板１２０側に進行する第１光Ｌ１になり、第１入光面１２Ａの表面で反射されて第１導光板１１と第２導光板１６との間を通って拡散板１２０側に進行する第２光Ｌ２になる。第１光Ｌ１及び第２光Ｌ２は第１導光板１１により導かれないので第１出光面１３を通じて出射できない。
【００３８】
従って、第１光Ｌ１及び第２光Ｌ２は表示装置５００の表示品質を低下させる漏れ光になるおそれがあるが、第１光Ｌ１及び第２光Ｌ２は拡散部材３０によって拡散されるので表示品質の低下は殆どない。
【００３９】
一方、本実施形態によると、第１導光板１１及び第２導光板１６の各上部面にはその上部面から突出している支持部材４０が備えられる。支持部材４０は第１及び第２導光板１１、１６を拡散板１２０と離間させる役割を果す。従って、第１及び第２出光面１３、１８を通じて出射して拡散板１２０側に進行する光は第１及び第２導光板１１、１６と拡散板１２０との間に介在する空気層によって更に拡散できる。
【００４０】
図５（ａ）は、図４に示す拡散部材の部分平面図であり、図５（ｂ）は、図５（ａ）に示すＩＩ−ＩＩ′線に沿って切断した断面図である。
【００４１】
図４、図５（ａ）及び図５（ｂ）を参照すると、拡散部材３０は第１及び第２補助光源２１、２２から発生して第１導光板１１と第２導光板１６との間を通って出射する光が入射する入射面３３及び入射面３３上に備えられる光学パターンＯＰを含む。光学パターンＯＰは光反射部３１及び光透過部３２を含む。
【００４２】
本実施形態によると、光反射部３１は光を反射する物質からなり、入射面３３上に備えられる反射層を形成し、光透過部３２は光反射部３１が部分的に除去されて形成される開口部からなる。従って、図５（ｂ）のように第１光Ｌ１は光透過部３２を透過して拡散部材３０に入射し、第２光Ｌ２は光反射部３１によって反射されて第１入光面１２Ａ及び第３入光面１７Ａを通じて第１及び第２導光板１１、１６側に供給される。その結果、光学パターンＯＰにおいて、光反射部３１が占める面積及び光透過部３２が占める面積の比率を調節すると、拡散部材３０によって拡散される光量を容易に調節できる。
【００４３】
図６は、本発明の第２実施形態による拡散部材の断面図である。図６において、拡散部材３５Ａを除けば、本実施形態による表示装置は、図１〜図５を参照して説明した一実施形態による表示装置と同じ構造を有する。従って、図６の説明において、既に説明した図１〜図５の構成要素などに対しては同じ符号を付与し、該構成要素に対する繰り返し説明は省略する。
【００４４】
図６を参照すると、拡散部材３５Ａは拡散ビーズＢＤを含む。拡散ビーズＢＤは拡散部材３５Ａの内部又は表面上に構成できる。
【００４５】
拡散ビーズＢＤは二酸化ケイ素（ＳｉＯ２）又は二酸化チタン（ＴｉＯ２）のような物質からなり、拡散部材３５Ａの光拡散機能を更に向上する役割を果す。従って、第１光源部２０から発生して、第１導光板１１と第２導光板１６との間を通って拡散板１２０側に進行する第１及び第２光Ｌ１、Ｌ２は拡散部材３５Ａによって更に拡散される。
【００４６】
図７は、本発明の第３実施形態による光源部及び拡散板の断面図である。
【００４７】
図７において、拡散部材３５Ｂを除けば、本実施形態による表示装置は、図１〜図５を参照して説明した一実施形態による表示装置と同じ構造を有する。従って、図７の説明において、既に説明した図１〜図５の構成要素などに対しては同じ符号を付与し、該構成要素に対する繰り返し説明は省略する。
【００４８】
図７を参照すると、拡散部材３５Ｂは、光拡散部３８及び支持部３９を備え、断面が‘Ｔ’形状を有する。
【００４９】
光拡散部３８は、ポリカーボネート（ｐｏｌｙｃａｒｂｏｎａｔｅ：ＰＣ）のような材質からなり、拡散板１２０の背面に接触し、第１光源部２０から発生して第１導光板１１と第２導光板１６との間を通って拡散板１２０側に進行する光を拡散させる。また、支持部３９は光拡散部３８と第１光源部２０との間に介在して光拡散部３８を支持する。
【００５０】
図７において、光拡散部３８及び支持部３９は同じ材質で一体に形成して共に光を拡散することができるように構成しても良い。
【００５１】
図面には示していないが、仮に、支持部３９が第１補助光源２１と第１導光板１１との間に位置する場合、第１補助光源２１から第１導光板１１側に進行する光がその支持部３９によって拡散されて第１導光板１１側に供給される光量が減少する。従って、図７に示したように、支持部３９は第１補助光源２１上に構成されるのが好ましく、図７には示していないが、第２補助光源（図３の２２参照）上にも支持部３９が構成されるのが好ましい。
【００５２】
また、支持部３９は光拡散部３８と第１補助光源２１との間に介在して拡散板１２０を支持する。従って、支持部３９の高さによって拡散板１２０は第１及び第２導光板１１、１６と離間される。拡散部材３５Ｂは図４の支持部材４０の役割を果す。
【００５３】
図８は、本発明の第４実施形態による光源部及び導光部の組み立て状態を示す斜視図である。図８の説明において、既に説明した図１〜図５の構成要素などに対しては同じ符号を付与し、該構成要素に対する繰り返し説明は省略する。
【００５４】
図８を参照すると、結合部材９０によって拡散部材３０は第１導光板１１及び第２導光板１６と固定される。結合部材９０は拡散部材３０の両端部にそれぞれ具備され、該拡散部材３０を第１及び第２導光板１１、１６に固定する。従って、拡散部材３０、第１及び第２導光板１１、１６は結合部材９０によって堅固に固定することができる。
【００５５】
図９は、本発明の第５実施形態による光源部及び拡散板の断面図である。図９の表示装置は、図１〜図５に示す支持部材４０の代わりに第１光学部材８０、第２光学部材８１、及び第３光学部材８２を備える。第１〜第３光学部材８０、８１、８２を除けば、図９の表示装置は、図１〜図５を参照して説明した表示装置と同じ構造を有する。従って、図９の説明において、図１〜図５を参照して説明した構成要素などに対しては同じ符号を付与し、該構成要素に対する繰り返し説明は省略する。
【００５６】
図９を参照すると、第１光学部材８０は第１光学部８３、第２光学部８４、及び第３光学部８５を含む。第１光学部８３は第１補助光源２１と第１導光板１１との間に位置し、第２光学部８４は第２補助光源（図３の２２参照）と第２導光板１６との間に位置する。また、第３光学部８５は第１及び第２光学部８３、８４と一体形からなり、弧形の上部面は拡散板１２０の背面と接触する。
【００５７】
第２光学部材８１は第３補助光源２５と第１導光板１１との間に備えられ、第１光学部材８０のように弧形の上部面は拡散板１２０の背面と接触する。また、第３光学部材８２は第４補助光源２８と第２導光板１６との間に備えられ、第３光学部材８２の弧形の上部面は拡散板１２０の背面と接触する。
【００５８】
第１〜第３光学部材８０、８１、８２は、シリコンのように、約１．２〜１．６の屈折率、高い弾性特性、及び光透過度を有する材質からなる。従って、第１及び第２導光板１１、１６がポリメチルメタクリレート（ｐｏｌｙｍｅｔｈｙｌ  ｍｅｔｈａｃｒｙｌａｔｅ：ＰＭＭＡ）又はポリカーボネート（ｐｏｌｙｃａｒｂｏｎａｔｅ：ＰＣ）のように約１．２〜１．６の屈折率を有する材質からなる場合、第１補助光源２１と第１導光板１１との間に第１導光板１１と同様の屈折率を有する第１光学部材８０が構成されることで、第１光学部材８０によって第１補助光源２１と第１導光板１１との間の空間と第１導光板１１が有する屈折率の差は減少する。その結果、第１補助光源２１から発生する第３光Ｌ３は第１導光板１１と第１補助光源２１との間で散乱されて拡散板１２０側に進行する光の量が減少する。
【００５９】
既に、図４を参照して説明したように、第１導光板１１は温度及び湿度のような外部の環境条件によって膨張することがあるので、第１導光板１１は空気層（図４のＡＬ参照）を介して第１補助光源２１と離間され、空気層は図１を参照して説明した漏れ光を誘発するおそれがある。しかし、図９に示す実施形態によると、シリコン材質で形成される第１光学部材８０及び第２光学部材８１によって第１導光板１１の両端部が支持され、第１光学部材８０及び第３光学部材８２によって第２導光板１６の両端部が支持される。従って、第１及び第２導光板１１、１６が外部の環境条件によって膨張しても、第１〜第３光学部材８０、８１、８２が有する弾性特性によって第１及び第２導光板１１、１６が曲がることを防止できる。
【００６０】
また、図９に示す実施形態によると、第１〜第３光学部材８０、８１、８２は拡散板１２０の背面と接触して該拡散板１２０を第１及び第２導光板１１、１６と離間する。従って、第１〜第３光学部材８０、８１、８２は図４の支持部材４０の役割も共にする。
【００６１】
図１０は、本発明の第６実施形態による導光部、光源部、及び拡散部材などの組み立て状態を示す平面図である。図１０において、第１補助拡散部材３０Ａ及び第２補助拡散部材３０Ｂを除けば、図１０の表示装置は、図１〜図５を参照して説明した本発明の一実施形態による表示装置と同じ構造を有する。従って、図１０の説明において、既に説明した図１〜図５の構成要素などに対しては同じ符号を付与し、該構成要素に対する繰り返し説明は省略する。
【００６２】
図１０を参照すると、平面上で第１補助拡散部材３０Ａは第２光源部２６をカバーする。その結果、第１補助拡散部材３０Ａは第３補助光源２５から発生して第３補助光源２５と第１導光板１１との間を通って出る光を拡散する。また、平面上で第２補助拡散部材３０Ｂは第３光源部２９をカバーする。その結果、第２補助拡散部材３０Ｂは第４補助光源２８から発生して第４補助光源２８と第２導光板１６との間を通って出る光を拡散する。
【００６３】
従って、表示装置は第１及び第２補助拡散部材３０Ａ、３０Ｂを利用して表示領域の両側の輝度の均一性を確保することができる。
【００６４】
図１１は、本発明の第７実施形態による光源部及び拡散板の断面図である。図１１の説明において、図１〜図４、図５（ａ）及び図５（ｂ）を参照して説明した構成要素などに対しては同じ符号を付与し、繰り返し説明は省略する。また、説明の便宜のために、図１１には第１導光板１１、第２導光板１６、拡散部材３０、拡散板１２０、第１光源部２０、及び支持部材４１を図示する。
【００６５】
図１１を参照すると、支持部材４１は第１導光板１１と第２導光板１６との間に備えられて拡散板１２０の背面と接触する。その結果、支持部材４１によって第１及び第２導光板１１、１６は拡散板１２０と離間される。
【００６６】
また、支持部材４１は第１補助光源２１の中の何れか一つと第２補助光源（図２の２２参照）の中の何れか一つとの間から拡散部材３０を貫いて拡散板１２０の背面と接触すると共に、拡散部材３０と干渉しないように第１補助光源２１及び第２補助光源の最外郭に構成される。
【００６７】
以上、図面を参照しながら本発明の実施形態について詳細に説明したが、本発明は、上述の実施形態に限定されるものではなく、本発明の技術的範囲から逸脱しない範囲内で多様に変更実施することが可能である。
【符号の説明】
【００６８】
１０    導光部
１１    第１導光板
１２Ａ    第１入光面
１２Ｂ    第２入光面
１３    第１出光面
１６    第２導光板
１７Ａ    第３入光面
１７Ｂ    第４入光面
１８    第２出光面
２０    第１光源部
２１    第１補助光源
２２    第２補助光源
２３    第１印刷回路基板
２４    第２印刷回路基板
２５    第３補助光源
２６    第２光源部
２７    第３印刷回路基板
２８    第４補助光源
２９    第３光源部
３０、３５Ａ、３５Ｂ    拡散部材
３０Ａ    第１補助拡散部材
３０Ｂ    第２補助拡散部材
３１    光反射部
３２    光透過部
３３    入射面
３８    光拡散部
３９    支持部
４０、４１    支持部材
８０    第１光学部材
８１    第２光学部材
８２    第３光学部材
８３    第１光学部
８４    第２光学部
８５    第３光学部
９０    結合部材
１１０    反射板
１２０    拡散板
１３０    光学シート
２００    バックライトアセンブリ
３１０    下部シャーシ
３８０    上部シャーシ
４００    表示パネル
４１０    第１基板
４２０    第２基板
５００    表示装置
【図１】
2011203735.tif 000003
【図２】
2011203735.tif 000004
【図３】
2011203735.tif 000005
【図４】
2011203735.tif 000006
【図５】
2011203735.tif 000007
【図６】
2011203735.tif 000008
【図７】
2011203735.tif 000009
【図８】
2011203735.tif 000010
【図９】
2011203735.tif 000011
【図１０】
2011203735.tif 000012
【図１１】
2011203735.tif 000013